(57)【要約】      （修正有）【課題】足の形状に簡単に適合する、靴、特にスポーツシューズのためのシューアッパーおよび／またはソールを提供すること。【解決手段】靴、特にスポーツシューズのためのシューアッパーであって、（ａ．）第１の層１３、および（ｂ．）第１の層１３に固定して接続された第２の層１４を備え、（ｃ．）第２の層が１４、互いに分離された少なくとも２つの領域１４ａ、１４ｂを含み、（ｄ．）第１の層１３が、第２の層１４の少なくとも２つの領域で覆われていない領域１３ａに第２の層１４よりも高い弾性を備える。【選択図】図１
2016209565.tif 000002
【特許請求の範囲】
【請求項１】
靴のためのシューアッパーであって、
ａ．第１の層、および
ｂ．第１の層に固定的に接続された第２の層
を備え、
ｃ．第２の層が、互いに分離された少なくとも２つの領域を含み、
ｄ．第１の層が、第２の層の少なくとも２つの領域で覆われていない領域に第２の層よりも高い弾性を備える、シューアッパー。
【請求項２】
第２の層が、少なくとも部分的に第１の層上に配置される、請求項１に記載のシューアッパー。
【請求項３】
第２の層が、第１の層と第２の層とが重なり合う領域において下に位置する第１の層の弾性の限界を定める、請求項１または２に記載のシューアッパー。
【請求項４】
第１の層が、シューアッパーの形状を実質的に画定する、請求項１から３のいずれか一項に記載のシューアッパー。
【請求項５】
第２の層の少なくとも２つの領域が、互いに距離を置いて第１の層上に配置されたパッチである、請求項１から４のいずれか一項に記載のシューアッパー。
【請求項６】
第２の層の少なくとも２つの領域が、皮革またはプラスチックで作られた、請求項１から５のいずれか一項に記載のシューアッパー。
【請求項７】
第２の層の少なくとも２つの領域が、第１の層上に縫合、接着、または溶接される、請求項１から６のいずれか一項に記載のシューアッパー。
【請求項８】
第１の層が、弾性ポリウレタン材料、弾性ポリウレタン被覆基材、または弾性のゴム被覆プラスチックで作られる、請求項１から７のいずれか一項に記載のシューアッパー。
【請求項９】
第２の層の少なくとも２つの領域が、少なくとも１つの第１の接続要素により互いに接続される、請求項１から８のいずれか一項に記載のシューアッパー。
【請求項１０】
接続要素が、第２の層の少なくとも２つの領域間の最大距離を確保する、請求項１から９のいずれか一項に記載のシューアッパー。
【請求項１１】
接続要素が、第１の層よりも低い弾性を備える、請求項９または１０に記載のシューアッパー。
【請求項１２】
少なくとも１つの接続要素が、切断され得るように作られる、請求項９から１１のいずれか一項に記載のシューアッパー。
【請求項１３】
少なくとも１つの接続要素が、第２の層の少なくとも２つの領域に取り外し可能に接続される、請求項９から１１のいずれか一項に記載のシューアッパー。
【請求項１４】
第２の層の少なくとも２つの領域間の最大距離が、少なくとも１つの接続要素が切断されるかまたは取り外されたときに増大する、請求項１２または１３に記載のシューアッパー。
【請求項１５】
少なくとも１つの接続要素が、長さの異なる別の接続要素に置き換えられ得る、請求項９から１４のいずれか一項に記載のシューアッパー。
【請求項１６】
第２の層の少なくとも２つの領域が、少なくとも１つの第２の接続要素により互いに接続される、請求項９から１５のいずれか一項に記載のシューアッパー。
【請求項１７】
第２の接続要素が、第１の接続要素とは異なる長さを備える、請求項９から１６のいずれか一項に記載のシューアッパー。
【請求項１８】
第２の接続要素が、第１の接続要素の上に配置される、請求項１６または１７に記載のシューアッパー。
【請求項１９】
第２の接続要素が、第１の接続要素に加えて配置される、請求項１６または１７に記載のシューアッパー。
【請求項２０】
第１の接続要素が、不織布で作られる、請求項９から１９のいずれか一項に記載のシューアッパー。
【請求項２１】
第２の接続要素が、不織布で作られる、請求項１６から２０のいずれか一項に記載のシューアッパー。
【請求項２２】
ａ．請求項１から２１のいずれか一項に記載のシューアッパー、および
ｂ．シューアッパーに取り付けられたソール
を備える、靴。
【請求項２３】
ソールであって、
ａ．第１の層、および
ｂ．第１の層に固定して接続された第２の層
を備え、
ｃ．第２の層が、互いに分離された少なくとも２つの領域を含み、
ｄ．第１の層が、少なくとも、第２の層の少なくとも２つの領域で覆われていない領域に第２の層よりも高い弾性を備え、
ｅ．ソールが、インナーソールをさらに備え、
ｆ．インナーソールが、インナーソールの第２の領域よりも高い弾性を備える第１の領域を少なくとも含む、ソール。
【請求項２４】
第２の層が、少なくとも部分的に第１の層上に配置される、請求項２３に記載のソール。
【請求項２５】
第２の層が、第１の層と第２の層とが重なり合う領域において、下に位置する第１の層の弾性の限界を定める、請求項２３または２４に記載のソール。
【請求項２６】
第１の層が、ソールの形状を実質的に画定する、請求項２３から２５のいずれか一項に記載のソール。
【請求項２７】
第２の層が、第１の層に射出成形される、請求項２３から２６のいずれか一項に記載のソール。
【請求項２８】
第１の層が、６０〜１００Ａ、７０〜９０Ａ、または７８〜８２Ａのショア硬さを有するＴＰＵで作られ、第２の層が、９０〜１００Ａまたは９４〜９６Ａのショア硬さを有するＰＡ６、ＰＡ１１、および／またはＴＰＵで作られる、請求項２３から２７のいずれか一項に記載のソール。
【請求項２９】
インナーソールのより高い弾性の領域が、ソールの第１の層のより高い弾性の領域と少なくとも部分的に重なり合う、請求項２３から２８のいずれか一項に記載のソール。
【請求項３０】
靴であって、
ａ．請求項２３から２９のいずれか一項に記載のソール、および、
ｂ．ソールに取り付けられたシューアッパー
を備える、靴。
【請求項３１】
ソールが、請求項１から２１のいずれか一項に記載のソールである、請求項３０に記載の靴。
【発明の詳細な説明】
【技術分野】
【０００１】
本発明は、調整可能なシューアッパーおよび調整可能なソール、ならびにそのようなシューアッパーおよび／またはそのようなソールを備える靴に関する。
【背景技術】
【０００２】
通常、靴は、シューアッパーと、それに取り付けられたソールとを備える。靴を購入した後では、シューアッパーおよび／またはソールの幅も長さも調整することができない。しかし、靴を購入してしばらくの間着用した後で初めてその靴が申し分なく的確に合っているわけではないことに着用者が気付くことが多い。それに加えて、靴は靴型上で作られるが、靴型の寸法（例えば、幅）は、人口集団からの平均値に従って決定されてきた。したがって、足がそれらの平均値に相当しない者は常に、申し分なく最適に合う靴を得られない。また、足の形状および／またはサイズは、経時的に変化し得る。このことは、人生の最初の数年間で靴のサイズが急速に変化する子ども達に特に当てはまる。
【０００３】
さらなる例は、例えば医学的な理由から足および／または足関節の支持のために包帯を巻く、スポーツ愛好者らである。この場合、靴は包帯のせいで最適には合わず、そのことが靴擦れの原因となる可能性がある。なおもさらなる例は、異なって形成された足、例えば、わずかに異なるサイズの足を有する者である。対の左右の靴は、通常、鏡面対称の靴型上で作られるので、少なくともこの場合、両方の靴のうちの一方は、最適には合わない。
【０００４】
ＤＥ２０２０１００１７９５８Ｕ１は、スポーツシューズ、特にサッカーシューズに関し、この文献では、靴全体が２つの構成要素−内側セクションおよび外側セクション−を含む。
【０００５】
米国特許出願公開第２０１４／０３２５８７１（Ａ１）号によれば、ミッドソールおよびアウターソールを含む、靴のためのソールが提供される。ミッドソールは、ベース本体と、複数の変形要素とを含む。アウターソールは、第１のアウターソール領域と、複数の第１のアウターソール要素とを含み、第１のアウターソール要素への圧負荷により、その第１のアウターソール要素に割り当てられた変形要素のうちの少なくとも１つの変形がもたらされる。
【０００６】
米国特許第７，５４６，６９８（Ｂ２）号および米国特許第７，７７０，３０７（Ｂ２）号は、少なくともその一部がベース層と、ベース層の表面に隣接している縫糸セクションとから形成されているシューアッパーを備える、履物製品について説明している。縫糸セクションは、例えばそれらの長手軸に対応する方向への回転の限界を定める構造要素を提供するように配置される。
【０００７】
米国特許第８，５６１，３２２（Ｂ２）号は、サイズの調整が可能なソールに関する。ソールは、固体領域および調整可能領域を含む。調整可能領域は、調整可能領域に割り当てられた融解温度までソールが加熱されたときに変形することができる。ソールの形状およびサイズは、調整可能領域を変形させることによって調整され得る。
【先行技術文献】
【特許文献】
【０００８】
【特許文献１】ＤＥ２０２０１００１７９５８Ｕ１
【特許文献２】米国特許出願公開第２０１４／０３２５８７１（Ａ１）号
【特許文献３】米国特許第７，５４６，６９８（Ｂ２）号
【特許文献４】米国特許第７，７７０，３０７（Ｂ２）号
【特許文献５】米国特許第８，５６１，３２２（Ｂ２）号
【発明の概要】
【発明が解決しようとする課題】
【０００９】
本発明は、足の形状に簡単に適合する、靴、特にスポーツシューズのためのシューアッパーおよび／またはソールを提供することの根本的な問題に関する。
【課題を解決するための手段】
【００１０】
本発明は、以下の実施形態を含む。
【００１１】
［１］靴、特にスポーツシューズのためのシューアッパーであって、
ａ．第１の層、および
ｂ．第１の層に固定的に接続された第２の層
を備え、
ｃ．第２の層が、互いに分離された少なくとも２つの領域を含み、
ｄ．第１の層が、第２の層の少なくとも２つの領域で覆われていない領域に第２の層よりも高い弾性を備える、シューアッパー。
【００１２】
［２］第２の層が、少なくとも部分的に第１の層上に配置される、［１］に記載のシューアッパー。
【００１３】
［３］第２の層が、第１の層と第２の層とが重なり合う領域において下に位置する第１の層の弾性の限界を定める、［１］または［２］に記載のシューアッパー。
【００１４】
［４］第１の層が、シューアッパーの形状を実質的に画定する、［１］から［３］のいずれか一項に記載のシューアッパー。
【００１５】
［５］第２の層の少なくとも２つの領域が、互いに距離を置いて第１の層上に配置されたパッチである、［１］から［４］のいずれか一項に記載のシューアッパー。
【００１６】
［６］第２の層の少なくとも２つの領域が、皮革またはプラスチックで作られた、［１］から［５］のいずれか一項に記載のシューアッパー。
【００１７】
［７］第２の層の少なくとも２つの領域が、第１の層上に縫合、接着、または溶接される、［１］から［６］のいずれか一項に記載のシューアッパー。
【００１８】
［８］第１の層が、弾性ポリウレタン材料、弾性ポリウレタン被覆基材、または弾性のゴム被覆プラスチックで作られる、［１］から［７］のいずれか一項に記載のシューアッパー。
【００１９】
［９］第２の層の少なくとも２つの領域が、少なくとも１つの第１の接続要素により互いに接続される、［１］から［８］のいずれか一項に記載のシューアッパー。
【００２０】
［１０］接続要素が、第２の層の少なくとも２つの領域間の最大距離を確保する、［１］から［９］のいずれか一項に記載のシューアッパー。
【００２１】
［１１］接続要素が、第１の層よりも低い弾性を備える、［９］または［１０］に記載のシューアッパー。
【００２２】
［１２］少なくとも１つの接続要素が、切断され得るように作られる、［９］から［１１］のいずれか一項に記載のシューアッパー。
【００２３】
［１３］少なくとも１つの接続要素が、第２の層の少なくとも２つの領域に取り外し可能に接続される、［９］から［１１］のいずれか一項に記載のシューアッパー。
【００２４】
［１４］第２の層の少なくとも２つの領域間の最大距離が、少なくとも１つの接続要素が切断されるかまたは取り外されたときに増大する、［１２］または［１３］に記載のシューアッパー。
【００２５】
［１５］少なくとも１つの接続要素が、長さの異なる別の接続要素に置き換えられ得る、［９］から［１４］のいずれか一項に記載のシューアッパー。
【００２６】
［１６］第２の層の少なくとも２つの領域が、少なくとも１つの第２の接続要素により互いに接続される、［９］から［１５］のいずれか一項に記載のシューアッパー。
【００２７】
［１７］第２の接続要素が、第１の接続要素とは異なる長さを備える、［１］から［１６］のいずれか一項に記載のシューアッパー。
【００２８】
［１８］第２の接続要素が、第１の接続要素の上に配置される、［１６］または［１７］に記載のシューアッパー。
【００２９】
［１９］第２の接続要素が、第１の接続要素に加えて配置される、［１６］または［１７］に記載のシューアッパー。
【００３０】
［２０］第１の接続要素が、不織布で作られる、［９］から［１９］のいずれか一項に記載のシューアッパー。
【００３１】
［２１］第２の接続要素が、不織布で作られる、［１６］から［２０］のいずれか一項に記載のシューアッパー。
【００３２】
［２２］ａ．［１］から［２１］のいずれか一項に記載のシューアッパー、および
ｂ．シューアッパーに取り付けられたソール
を備える、靴、特にスポーツシューズ。
【００３３】
［２３］ソール、特にスポーツシューズのためのソールであって、
ａ．第１の層、および
ｂ．第１の層に固定して接続された第２の層
を備え、
ｃ．第２の層が、互いに分離された少なくとも２つの領域を含み、
ｄ．第１の層が、少なくとも、第２の層の少なくとも２つの領域で覆われていない領域に第２の層よりも高い弾性を備え、
ｅ．ソールが、インナーソールをさらに備え、
ｆ．インナーソールが、インナーソールの第２の領域よりも高い弾性を備える第１の領域を少なくとも含む、ソール。
【００３４】
［２４］第２の層が、少なくとも部分的に第１の層上に配置される、［２３］に記載のソール。
【００３５】
［２５］第２の層が、第１の層と第２の層とが重なり合う領域において、下に位置する第１の層の弾性の限界を定める、［２３］または［２４］に記載のソール。
【００３６】
［２６］第１の層が、ソールの形状を実質的に画定する、［２３］から［２５］のいずれか一項に記載のソール。
【００３７】
［２７］第２の層が、第１の層に射出成形される、［２３］から［２６］のいずれか一項に記載のソール。
【００３８】
［２８］第１の層が、６０〜１００Ａ、７０〜９０Ａ、または７８〜８２Ａのショア硬さを有するＴＰＵで作られ、第２の層が、９０〜１００Ａまたは９４〜９６Ａのショア硬さを有するＰＡ６、ＰＡ１１、および／またはＴＰＵで作られる、［２３］から［２７］のいずれか一項に記載のソール。
【００３９】
［２９］インナーソールのより高い弾性の領域が、ソールの第１の層のより高い弾性の領域と少なくとも部分的に重なり合う、［２３］から［２８］のいずれか一項に記載のソール。
【００４０】
［３０］靴、特にスポーツシューズであって、
ａ．［２３］から［２９］のいずれか一項に記載のソール、および、
ｂ．ソールに取り付けられたシューアッパー
を備える、靴。
【００４１】
［３１］ソールが、［１］から［２１］のいずれか一項に記載のソールである、［３０］に記載の靴。
【００４２】
本発明の第１の態様によれば、この問題は、靴、特にスポーツシューズのためのシューアッパーであって、（ａ．）第１の層、および（ｂ．）第１の層に固定して接続された第２の層を備え、（ｃ．）第２の層が、互いに分離された少なくとも２つの領域を含み、（ｄ．）第１の層が、第２の層の少なくとも２つの領域で覆われていない領域に第２の層よりも高い弾性を備える、シューアッパーによって解決される。
【００４３】
本発明によれば、シューアッパーは、第１の層と、それに接続された第２の層とを備える。第１の層の弾性は、第２の層の弾性よも高い。このことを通じて、シューアッパーは、第１の層が撓むという事実により、着用者の足の形状に最適な形で適合することができる。第１の層の伸張を可能にするために、弾性に劣る第２の層は、閉じられた表面を形成せずに、互いに分離された少なくとも２つの領域を形成する。第１の層は、少なくともこれらの領域で覆われていない領域において、第２の層よりも弾性に優る。したがって、第２の層の少なくとも２つの領域は、下に位置するまたは覆っている第１の層のための隙間を形成する。足の形状に応じて、この隙間は、シューアッパーが足の形状に適合し得るように多少広がる。
【００４４】
第２の層は第１の層よりも弾性に劣るので、第２の層は、シューアッパーの柔軟性および適合性にかかわらず、足に必要な支持を提供することができる。具体的には、第２の層は、特に応力を受ける場所、例えば踵およびつま先の領域において、シューアッパーに安定性を提供することができる。
【００４５】
本発明による構成、ならびに第１および第２の層の相対的な弾性により、必要な支持および安定性を足に同時に提供することができる、調整可能で柔軟なシューアッパーが得られる。
【００４６】
材料の弾性は、例えば、その弾性係数（引張係数（modulus of tension）、弾力性係数（elasticity coefficient）、弾性係数（modulus of elasticity）、Ｅ−係数（E-modulus）、またはヤング係数とも呼ばれる）によって説明され得る。弾性係数の絶対値は、特定の伸張を引き起こすために必要とされる引張応力が大きいほど、大きな値になる。
【００４７】
第２の層は、少なくとも部分的に第１の層上に配置され得る。それにより、第２の層は、体系的に選択された場所において第１の層の弾性の限界を定め得る。したがって、第２の層は、第１の層と第２の層とが重なり合う領域において、下に位置する第１の層の弾性の限界を定め得る。
【００４８】
第１の層は、シューアッパーの形状を実質的に画定し得る。つまり、シューアッパーの形状は、第１の層によって与えられる。このことにより、第２の層以外にさらなる材料が必要とされないので、シューアッパーの製造工程が簡略化される。例えば、第１の層は、横編み機または縦編み機で一体に作られる編地として製造され得る。
【００４９】
第２の層の少なくとも２つの領域は、互いに距離を置いて第１の層上に配置される、パッチとされ得る。パッチは、単純に、適切な材料から切抜きまたは打ち抜き加工され、第１の層上に固定され得る。
【００５０】
第２の層の少なくとも２つの領域は、皮革またはプラスチックで作られ得る。これらの材料は、比較的加工し易く、また、それらの領域が配置されるシューアッパーの箇所において、足に高度の安定性および支持を提供する。
【００５１】
第２の層の少なくとも２つの領域は、第１の層上に縫合、接着、または溶接され得る。このようにして、第１の層と第２の層との間の単純ではあるが耐久性のある接続が確立され得る。
【００５２】
第１の層は、弾性ポリウレタン材料、弾性ポリウレタン被覆基材、または弾性のゴム被覆プラスチックで作られ得る。これらの材料は、本発明にとって理想的な弾性を備え、かつ、丈夫で長持ちする。
【００５３】
第１の層は、実質的に２枚重ねの層として形成され得る。例えば、内側のプライ（ply）は、ライニング材料、例えば発泡材料で作られ得る。第２のプライとして、弾性材料が、第１のプライに加えられ得る。第２のプライは、例えば、第１のプライに接着または溶接され得る。第１のプライおよび第２のプライは、少なくとも部分的に重なり合うことができる。
【００５４】
第２のプライの少なくとも２つの領域は、少なくとも１つの第１の接続要素によって接続され得る。接続要素は、２つの領域の互いの相対配置の限界を定め、それによりシューアッパーの最大伸張を画定することができる。そのようにして、シューアッパーが過度に伸張して足に十分な支持および安定性を提供しないことを防止することができる。例えば、接続要素は、第２のプライの少なくとも２つの領域間の最大距離を確保することができる。それゆえ、接続要素は、２つの領域間の隙間が大きくなりすぎること、および、第１のプライが過度に伸張されることを防止する。したがって、接続要素は、シューアッパーの弾性に対する限界となる。
【００５５】
接続要素は、第１のプライよりも低い弾性を備える。したがって、シューアッパーの弾性は、効果的に限界を定められ得る。
【００５６】
少なくとも１つの接続要素は、切断され得るように作られ得る。足がより多くのスペースを必要とする場合（例えば、子ども、包帯を巻いた足、または非対称的な形状の足のための靴のように）、切断される接続要素の領域におけるシューアッパーの弾性は、接続要素の体系的な切断によって高められ得る。したがって、シューアッパーは、足の形状および／またはサイズに全く体系的に適合され得る。そのような適合は、購入した後でさえ、それぞれの靴の所有者によって行われ得る。その目的のために特別な工具は必要とされない。
【００５７】
少なくとも１つの接続要素は、第２のプライの少なくとも２つの領域に取り外し可能に接続され得る。例えば、接続要素は、マジックテープ式ファスナ、またはスナップ式ファスナにより、第２のプライの少なくとも２つの領域に取り付けられ得る。また、このようにして、シューアッパーの弾性が適合され得る。接続要素は再度シューアッパーに取り付けられ得るので、この作用は可逆である。例えば医学的な回復により着用者が包帯を外し得る場合、シューアッパーの弾性は、接続要素を再び取り付けることにより、足に必要とされる狭くなったスペースに従って適合され得る。
【００５８】
第２の層の少なくとも２つの領域間の最大距離は、少なくとも１つの接続要素が切断されるかまたは取り外されると増大し得る。このようにして、すでに説明したように、シューアッパーの弾性が体系的に向上され得る。
【００５９】
少なくとも１つの接続要素は、長さの異なる別の接続要素に置き換えられ得る。それにより、シューアッパーの最大弾性は、容易に調整され得る。例えば子どもの靴のように、子どもの足が特定の靴のサイズに達したときに、接続要素をより長い接続要素に置き換えることができる。
【００６０】
第２の層の少なくとも２つの領域は、少なくとも１つの第２の接続要素により、互いに接続され得る。したがって、第２の接続要素は、第１の接続要素とは異なる長さを備え得る。それにより、シューアッパーの弾性は、短い方の接続要素（例えば、第１の接続要素）が切断されるかまたは取り外されると、向上され得る。
【００６１】
第２の接続要素は、第１の接続要素の上に配置され得る。例えば、より短い第１の接続要素が、より長い第２の接続要素の上に配置されてもよい。第１の接続要素を切断するかまたは取り外すことにより、シューアッパーの最大弾性が向上される。
【００６２】
第２の接続要素は、第１の接続要素に加えて配置され得る。第２の接続要素は、第１の接続要素と同じ長さの接続要素であってもよい。あるいは、第２の接続要素は、すでに説明したようにシューアッパーの最大弾性を調整可能にするために、別の長さを有してもよい。
【００６３】
第１の接続要素および／または第２の接続要素は、弾性のない、またはわずかに弾性を有する材料で作られ得る。いずれの場合でも、第１および／または第２の接続要素の弾性は、第１の層の弾性よりも低い。第１および／または第２の接続要素は、例えば、繊維材料から作られ得る。繊維材料は、例えば、編まれた、組まれた、かつ／または織られた材料、および／または不織布であり得る。
【００６４】
本発明のさらなる態様は、（ａ．）前述のようなシューアッパー、および（ｂ．）シューアッパーに取り付けられたソールを備える、靴、特にスポーツシューズに関する。
【００６５】
本発明のなおもさらなる態様は、ソール、特にスポーツシューズ用のソールであって、（ａ．）第１の層、および（ｂ．）第１の層に固定して接続された第２の層を備え、（ｃ．）第２の層が、互いに分離された少なくとも２つの領域を含み、（ｄ．）第１の層が、第２の層の少なくとも２つの領域で覆われていない少なくとも１つの領域において、第２の層よりも高い弾性を備える、ソールに関する。
【００６６】
また、本発明のこの態様により、最適な形で足に適合する靴を得ることが可能になる。すなわち、本発明によれば、ソールは、第１の層と、それに接続された第２の層とを備える。第１の層の弾性は、第２の層の弾性よりも高い。このことを通じて、ソールは、第１の層が撓むので、着用者の足の裏に最適な形で適合することができる。第１の層の伸張を可能にするために、弾性に劣る第２の層は、閉じられた表面を形成せずに、互いに分離された少なくとも２つの領域を形成する。第１の層は、少なくともこれらの領域で覆われていない領域において、第２の層よりも弾性に優る。したがって、第２の層の少なくとも２つの領域は、下に位置するまたは覆っている第１の層のための隙間を形成する。足の裏の形状および荷重に応じて、隙間は、足の裏に適合し得るように多少広がる。
【００６７】
第２の層は第１の層よりも弾性に劣るという事実により、第２の層は、ソールの柔軟性および適合性にかかわらず、足に必要な支持を提供することができる。具体的には、第２の層は、ソールと、特に応力を受ける場所、例えば踵およびつま先の領域において、安定性を提供することができる。さらに、第２の層は、地面との接触に対して外形が定められかつ耐摩耗性とされ得る。
【００６８】
本発明による構成、ならびに第１および第２の層の相対的な弾性により、足の裏に必要な支持および安定性を提供するだけでなく耐牽引性および耐摩耗性を同時に提供することができる、調整可能で柔軟なソールが得られる。
【００６９】
インナーソールは、インナーソールの第２の領域よりも高い弾性を備える少なくとも１つの第１の領域を含み得る。このようにして、インナーソールもまた、足の形状および荷重に相応に適合する。インナーソールのより高い弾性を有する少なくとも１つの第１の領域の配置は、第１の層上への第２の層の配置に適合され得る。インナーソールは、好ましくは、第２の層が第１の層と重なり合わない領域において、より高い弾性を有する領域を含み得る。
【００７０】
第２の層は、少なくとも部分的に第１の層上に配置され得る。したがって、第２の層は、体系的に選択された場所において第１の層の弾性の限界を定め得る。そのようにして、第２の層は、第１の層と第２の層とが重なり合う領域において、下に位置する第１の層の弾性の限界を定め得る。
【００７１】
第１の層は、ソールの形状を実質的に画定し得る。つまり、ソールの形状は、第１の層によって画定される。このことにより、第２の層以外にさらなる材料が必要とされないので、ソールの製造工程が簡略化される。例えば、第１の層は、鋳造法で一体に製造され得る。
【００７２】
第２の層は、第１の層に射出成形され得る。そうすることで、両方の層間の固定された恒久的な接続が提供され得る。
【００７３】
第１の層は、６０〜１００Ａ、７０〜９０Ａ、または７８〜８２Ａのショア硬さを有するＴＰＵで作られ得る。第２の層は、９０〜１００Ａもしくは９４〜９６Ａのショア硬さを有するポリアミド、例えばＰＡ６、ＰＡ１１、もしくはＰＡ１２、および／またはＴＰＵで作られ得る。
【００７４】
ソールは、インナーソールをさらに含み得る。インナーソールは、中底（インソール）として機能し得る。インナーソールは、靴が履き心地が良いという感覚を与え、かつ、さらなる機能、例えば通気性および／または吸湿をさらに備えることができる。
【００７５】
インナーソールのより高い弾性を有する領域は、ソールの第１の層のより高い弾性を有する領域と少なくとも部分的に重なり合うことができる。したがって、選択された領域において（例えば、踵および／またはつま先の領域において）、ソール全体が、最適な形で着用者の足の裏の形状に適合することができ、かつ／または荷重に応じて伸張することができる。
【００７６】
本発明のなおもさらなる態様は、（ａ．）前述のようなソール、および（ｂ．）ソールに取り付けられたシューアッパーを備える、靴、特にスポーツシューズに関する。
【００７７】
シューアッパーは、前述のようなシューアッパーであり得る。
【００７８】
以下、本発明の態様について、添付の図面を参照しながら、より詳細に説明する。
【図面の簡単な説明】
【００７９】
【図１】本発明によるシューアッパーを有する靴の概略図である。
【図２Ａ】本発明によるシューアッパーを有する靴の例示的な実施形態の側面図である。
【図２Ｂ】本発明によるシューアッパーを有する靴の例示的な実施形態の平面図である。
【図２Ｃ】本発明によるシューアッパーを有する靴の例示的な実施形態の内側面図である。
【図３Ａ】本発明によるシューアッパーを有する靴のさらなる例示的な実施形態の側面図である。
【図３Ｂ】本発明によるシューアッパーを有する靴のさらなる例示的な実施形態の平面図である。
【図３Ｃ】本発明によるシューアッパーを有する靴のさらなる例示的な実施形態の内側面図である。
【図４】本発明のさらなる態様によるソールを有する靴の例示的な実施形態の図である。
【発明を実施するための形態】
【００８０】
以下、本発明の例示的な実施形態および修正形態について、より詳細に説明する。
【００８１】
図１は、本発明によるシューアッパー１２を備える靴１１の概略図を示す。図１に示された靴１１は、スポーツシューズ、例えばサッカーシューズである。本発明は、あらゆるスポーツシューズ、例えば、ラグビーシューズ、サッカーシューズ、バスケットボールシューズ、テニスシューズ、ゴルフシューズ、ランニングシューズ、等に適用することができる。本発明は、スポーツシューズに限定されるものではなく、普段履きの靴や儀礼的な機会で着用される靴にも適用され得る。
【００８２】
シューアッパー１２は、第１の層１３を含む。図１の例示的な実施形態では、第１の層１３は、シューアッパー１２の形状を実質的に画定する。すなわち、靴１１は、後で説明される第２の層１４無しでも着用され得る。しかし、この場合、シューアッパー１２は、撓みが生じるべき特定の箇所において過度に撓むはずである。一般に、第１の層１３は、シューアッパー１２の特定の領域に配置されれば十分である。すなわち、第１の層は、シューアッパー１２全体にわたって延在する必要はない。例えば、第１の層１３は、つま先領域、踵領域、甲領域、またはそれらの組合せのみに配置され得る。一般に、第１の層１３は、シューアッパー１２が足の形状に適合し得るように、シューアッパー１２が伸縮自在であるべき位置に配置される。
【００８３】
図１の例示的な実施形態では、第１の層１３はまた、２つの異なる種類の領域を含む。第１の領域が、参照符号１３ａによって示され、かつ、前方足領域を交差して、シューアッパー１２の側面の下方領域に沿ってシューアッパー１２の後方領域まで延在する。さらに、第１の層１３は、シューアッパー１２のつま先領域にさらなる領域１３ｂを含み、前側領域に領域１３ｃを含み、シューアッパー１２の甲領域に領域１３ｄを含む。領域１３ａに使用される材料は、領域１３ｂ、１３ｃ、および１３ｄに使用される材料とは異なっていてもよい。具体的には、これらの材料の弾性は、異なっていてもよい。
【００８４】
第１の層を実質的に２枚重ねで形成することも可能である。例えば、内側のプライは、ライニング材料、例えば発泡材料で作られ得る。第２のプライとして、弾性材料が、第１のプライに加えられ得る。第２のプライは、例えば、第１のプライ上に接着または溶接され得る。第１のプライおよび第２のプライは、少なくとも部分的に重なり合うことができる。例えば、図１に示された例示的な実施形態の代替案として、内側のプライは、実質的にシューアッパー全体にわたって延在してもよく、また、参照符号１３ａによって示された交差領域において可視であってもよい。内側のプライ上に、参照符号１３ａ、１３ｂ、１３ｃ、および１３ｄによって示された第２のプライの領域が、接着または溶接され得る。第１のプライの弾性は、第２のプライの弾性とは異なっていてもよい。
【００８５】
図１における領域１３ａ、１３ｂ、１３ｃ、および１３ｄの配置ならびに形状は、例示的にのみ理解されるものであり、靴１１の用途（例えば、スポーツ）によって変化し得る。また、第１の層１３は、そのような領域を含まずに、全体に１つの材料から作られてもよい。
【００８６】
第１の層１３は、弾性材料である。可能性のある材料は、例えば、ポリウレタン、またはゴム被覆プラスチックである。
【００８７】
シューアッパー１２はまた、第１の層１３に固定して接続された第２の層１４を含み、この第２の層１４は、互いに分離された少なくとも２つの領域を含む。図１では、２つのそのような領域が、参照符号１４ａおよび１４ｂによって例示的に示されている。領域１４ａおよび１４ｂは、互いに距離を置いて第１の層１３上に配置されるパッチである。さらに、図１は分解組立図である。すなわち、第２の層１４は、例示の理由から、第１の層１３から離間して示されている。しかし一般に、第２の層１４は、例えば縫合、接着、または溶接により、第１の層１３に固定して接続される。
【００８８】
第２の層１４の少なくとも２つの領域（図１では、参照符号１４ａおよび１４ｂによって例示的に示される）は、離間される。すなわち、領域１４ａおよび１４ｂは、互いに離間されて第１の層１３上に配置される。少なくとも２つの領域１４ａおよび１４ｂは、皮革またはプラスチックから作られ得る。
【００８９】
第１の層１３は、本発明によれば、第２の層の少なくとも２つの領域で覆われていない少なくとも１つの領域において、第２の層１４よりも高い弾性を備える。図１の例示的な実施形態では、第１の層１３の領域１３ａは、第２の層１４で覆われない。領域１３ａの弾性は、第２の層１４の弾性、具体的には少なくとも２つの領域１４ａおよび１４ｂにおける弾性よりも高い。
【００９０】
材料の弾性は、例えば、その弾性係数（引張係数、弾力性係数、弾性係数、Ｅ−係数、またはヤング係数とも呼ばれる）によって説明され得る。弾性係数の絶対値は、特定の伸張を引き起こすために必要とされる張力が大きいほど、大きな値になる。
【００９１】
第２の層１４が第１の層１３よりも低い弾性を備え、かつ、第１の層１３に固定して接続されるという事実により、第２の層１４は、第１の層１３と第２の層１４とが重なり合う領域において、下に位置する第１の層１３の弾性の限界を定める。
【００９２】
図１の例示的な実施形態では、第２の層１４は、下に位置する第１の層１３と完全に重なり合う。すなわち、両方の層が重なり合わない領域は存在しない。本発明の範囲においては、第１の層１３と第２の層１４とが部分的にのみ重なり合うことも考えられる。また、図１の例示的な実施形態では、第２の層１４は、第１の層１３の上に配置される。逆の配置も可能である。すなわち、第２の層１４は、第１の層１３の下に配置されてもよい。
【００９３】
図１の例示的な実施形態では、第２の層１４の少なくとも２つの領域１４ａおよび１４ｂは、任意選択の第１の接続要素によって互いに接続される。そのような第１の接続要素が、図１に参照符号１５ａによって例示的に示されている。接続要素１５ａは、第２の層１４の少なくとも２つの領域１４ａと１４ｂとの間の最大距離を確保する。ここで、接続要素１５ａは、第１の層１３よりも低い弾性を備え得る。すなわち、接続要素１５ａは、下に位置する第１の層１３のより高い弾性に起因して起こり得る、両方の領域１５ａおよび１５ｂの互いに対する相対運動の限界を定める。
【００９４】
第１の接続要素１５ａは、例えば、不織材料から作られ得る。あるいは、第１の接続要素１５ａは、編まれた、組まれた、かつ／または織られた材料であってもよい。図１の第１の実例では、第１の接続要素１５ａはテープ様の形状を有するが、第１の接続要素１５ａが円形断面を備え、かつ、例えば糸またはヤーンであることも考えられる。
【００９５】
第１の接続要素１５ａは、切断され得るように作られてもよい。図１の第１の実例では、第１の接続要素１５ａは、例えばはさみによって切断され得る。第１の接続要素１５ａが少なくとも２つの領域１４ａおよび１４ｂに取り外し可能に接続されることも考えられる。例えば、第１の接続要素１５ａ、ならびに２つの領域１４ａおよび１４ｂのうちの少なくとも１つは、接続要素がこの領域から取り外され得るように、スナップ式ファスナまたはマジックテープ式ファスナを備えることができる。また、接続要素１５ａがシューアッパー１２から完全に取り外され得るように、他の領域もスナップ式ファスナまたはマジックテープ式ファスナを備えることが考えられる。
【００９６】
一般に、第１の接続要素１５ａが切断されるかまたは取り外されると、接続要素は、下に位置する第１の層１３のより低い弾性に起因して起こり得る２つの領域１４ａおよび１４ｂの互いに対する相対運動の限界をもはや定めないので、第２の層の少なくとも２つの領域１４ａと１４ｂとの間の最大距離が増大する。つまり、図１の例示的な実施形態における接続要素１５ａが切断されるかまたは取り外されると、接続要素１５ａが配置されたこの側方領域において、シューアッパー１２の弾性が向上する。すると、シューアッパー１２は、より広い幅を持つ足を受け入れることができる。
【００９７】
第１の接続要素１５ａが長さの異なる別の接続要素に置き換えられ得ることも考えられる。つまり、シューアッパーの最大弾性は、接続要素１５ａの領域において調整され得る。より短い接続要素は、シューアッパーの弾性の限界を相応に定め、一方で、より長い接続要素は、第２の層の領域１４ａと１４ｂの間隔をより広くすることを可能にする。
【００９８】
図１の例示的な実施形態に示されるように、第２の層１４の領域１４ａおよび１４ｂは、任意選択の第２の接続要素１５ｂによって互いに接続される。第２の接続要素１５ｂは、第１の要素１５ａに加えて配置される。しかし、第２の接続要素１５ｂは、第１の接続要素の上に配置されることも考えられる。第２の接続要素１５ｂは、第１の接続要素とは別の長さを備えることができる。例えば、第２の接続要素１５ｂの長さは、第１の接続要素１５ａの長さよりも長くてもよい。すでに説明したように、第１の要素１５ａが取り外されるかまたは切断された場合、第２の層１４の２つの領域１４ａと１４ｂとの間の最大距離は、今やより長い第２の接続要素１５ｂによって限界が定められているので、シューアッパーの弾性は、接続要素１５ａの領域において向上することになる。
【００９９】
図１に示された靴１１はまた、すでに説明されたシューアッパー１２の他に、ソール１６を備える。ソール１６は、例えば縫合、接着、または溶接により、シューアッパー１２に接続される。あるいは、ソール１６は、シューアッパー１２に直接射出成形され得る。ソール１６は、普通のソール、例えば、エチレン酢酸ビニル（TPU：ethylene vinyl acetate）、熱可塑性ポリウレタン（TPU：thermoplastic polyurethane）、硬化ゴム、または発泡ポリウレタン（eTPU：expanded polyurethane）から作られたソールであり得る。あるいは、ソール１６は、図４を参照してより詳細に説明される、本発明の別の態様によるソールであり得る。
【０１００】
図２Ａ、２Ｂ、および２Ｃは、本発明によるシューアッパー１２を有する靴１１のさらなる例示的な実施形態を示す。この靴はサッカーシューズであり、図１を参照してすでに説明されたシューアッパー１２の他に、スタッドを含むソール１６を備え、スタッドのうちの３つが参照符号２１によって例示的に示されている。シューアッパー１２を参照すると、図１を参照して説明されたシューアッパー１２が有効である。図１によるシューアッパー１２とは異なり、図２Ａ、２Ｂ、および２Ｃによるシューアッパーは、後方足領域および踵領域のそれぞれに追加の接続要素を備え、そのうちの２つが、参照符号１５ｃおよび１５ｄによって例示的に示されている。さらに、図２Ａ、２Ｂ、および２Ｃによるシューアッパー１２は、全体でより多くの数の接続要素１５ａ、１５ｂ、１５ｃ、１５ｄを備え、それにより、シューアッパー１２の適合性がさらに向上される。
【０１０１】
図３Ａ、３Ｂ、および３Ｃは、図２Ａ、２Ｂ、および２Ｃの実例の代替案である、本発明の例示的な実施形態を示す。図３Ａ、３Ｂ、および３Ｃに示された靴１１もまた、図２Ａ、２Ｂ、および２Ｃに示された靴１１と同じ特徴を有する、本発明によるシューアッパー１２を備える。しかし、図２Ａ、２Ｂ、および２Ｃの例示的な実施形態とは異なり、図３Ａ、３Ｂ、および３Ｃに示された靴１１は、第２の層１４の領域間に接続要素を備えない。例えば、図３Ａ、３Ｂ、および３Ｃの例示的な実施形態とは異なり、領域１４ａと１４ｂとの間には、接続要素が配置されない。図３Ａ、３Ｂ、および３Ｃに示された靴１１が接続要素を１つも備えないという事実により、第１の層１３の弾性は、接続要素の不在を考慮するために、基本的に図２Ａ、２Ｂ、および２Ｃの例示的な実施形態よりも低い。
【０１０２】
図４は、本発明のさらなる態様によるソール４２を有する靴１１の例示的な実施形態を示す。図４に示された靴４１は、サッカーシューズである。しかし、図４に示されたソール４２は、例えば、ラグビーシューズ、サッカーシューズ、バスケットボールシューズ、テニスシューズ、ゴルフシューズ、ランニングシューズ、等の、任意のスポーツシューズに適用され得る。本発明はスポーツシューズに限定されるものではなく、普段履きの靴や儀礼的な機会で着用される靴にも適用され得る。
【０１０３】
ソール４２は、第１の層４３を含む。層４３は、例えばＴＰＵ８０Ａから作られ得る。ソール４２は、第１の層４３に固定して接続された第２の層４４をさらに含む。第２の層４４は、足中間領域に、ＰＡ１２から作られた第１のセクション４５を含む。さらに、第１の層は、足前方セクション４６ａと、ＴＰＵ９５Ａから作られた踵セクション４６ｂとを含む。この第２の層４４のセクション４５、４６ａ、および４６ｂの配置により、柔軟かつ伸縮自在のアウターソールが可能になる。しかし、セクション４５、４６ａ、および４６ｂの配置は、根本的に変化してもよい。同様に、他の材料が使用されてもよい。２つの層４３および４４は、接着または溶接によって互いに接続され得る。あるいは、第１の層４３は、第２の層４４に射出成形されてもよく、その逆も可能である。
【０１０４】
第２の層４４は、互いに分離された少なくとも２つの領域を含み、そのうちの２つが、参照符号４７ａおよび４７ｂにより図４に例示的に示されている。２つの領域４７ａおよび４７ｂは、第１の層４３が第２の層４４の領域４７ａと４７ｂとの間で可視であるように、互いに離間されている。
【０１０５】
本発明によれば、第１の層４３は、第２の層４４の少なくとも２つの領域４７ａおよび４７ｂで覆われていない少なくとも１つの領域において、第２の層４４よりも高い弾性を備える。図４の例示的な実施形態では、第１の層４３の十字形領域が、第２の層４４で覆われていない。この領域では、第１の層４３の弾性は、第２の層４４の弾性、具体的には少なくとも２つの領域４７ａおよび４７ｂにおける弾性よりも高い。
【０１０６】
図４の例示的な実施形態では、第２の層４４、および下に位置する第１の層４３は、完全には覆わない。例えば、第２の層４４はソール４２の縁まで延在するが、第１の層４３はそのように延在しない。しかし、本発明の範囲においては、第１の層４３および第２の層４４が完全に覆うこと、すなわち、２つの層が互いに覆わない領域が存在しないことも考えられる。また、図４の実施形態では、第２の層４４は、第１の層４３の上に配置される。逆の配置も可能である。すなわち、第２の層４４は、第１の層４３の下に配置されてもよい。
【０１０７】
第２の層４４が、第１の層４３よりも低い弾性を備え、かつ、第１の層４３に固定して接続されるという事実により、第２の層４４は、第１の層４３と第２の層４４とが重なり合う領域において、下に位置する第１の層４３の弾性の限界を定める。
【０１０８】
図４の例示的な実施形態では、第１の層４３は、ソール４２の形状を実質的に画定する。すなわち、靴４１は、第２の層４４無しでも着用され得る。しかしこの場合、ソールは、特定の場所において過度に撓むはずである。一般に、第１の層４３は、ソール４２の特定の領域に配置されれば十分である。すなわち、第１の層４３は、ソール４２全体にわたって延在する必要はない。例えば、第１の層４３は、つま先領域、踵領域、足中間領域、またはそれらの組合せのみに配置され得る。一般に、第１の層４３は、靴４１の着用中にソール４２が足の裏の形状および荷重に適合し得るように、ソール４２が伸縮自在であるべき位置に配置される。
【０１０９】
場合により、ソール４２はまた、インナーソール（図４には図示せず）を含む。このソールは、他の領域よりも高い弾性を有する領域を含み得る。インナーソールのより高い弾性の領域は、ソール４２の第１の層４３のより高い弾性を有する領域と少なくとも部分的に重なり合うことができる。したがって、選択された領域において（例えば、踵および／またはつま先の領域において）、完全なソール４２が、着用者の足の裏の形状に適合することができ、かつ／または、荷重に従って伸張することができる。
【０１１０】
図４に示された靴４１はまた、例えば縫合、接着、または溶接によりソール４２に接続され得るシューアッパー４８を備える。ソール４２は、シューアッパー４８上に射出成形されてもよい。シューアッパー４８は、普通のサッカーシューズに使用されるようなシューアッパーであってもよい。あるいは、シューアッパー４８は、図１、２Ａ、２Ｂ、２Ｃ、３Ａ、３Ｂ、および３Ｃを参照してすでに説明されたような、本発明によるシューアッパー１２であってもよい。
【０１１１】
本発明の範囲内において、例示的な実施形態は、本明細書において明確に説明されていないさらなる例示的な実施形態を得るために、互いに組み合わせられ得る。例えば、本明細書において明確に説明されていない、本発明による新たな例示的な実施形態を得るために、例示的な一実施形態の特定の特徴を、別の例示的な実施形態の特定の特徴と組み合わせることができる。
【符号の説明】
【０１１２】
１１  靴
１２  シューアッパー
１３  第１の層
１３ａ  第１の領域
１３ｂ、１３ｃ、１３ｄ  領域
１４  第２の層
１４ａ、１４ｂ  領域
１５ａ  第１の接続要素
１５ｂ  第２の接続要素
１５ｃ、１５ｄ  接続要素
１６  ソール
２１  スタッド
４１  靴
４２  ソール
４３  第１の層
４４  第２の層
４５  第１のセクション
４６ａ  足前方セクション
４６ｂ  踵セクション
４７ａ、４７ｂ  領域
４８  シューアッパー
【図１】
2016209565.tif 000003
【図２Ａ】
2016209565.tif 000004
【図２Ｂ】
2016209565.tif 000005
【図２Ｃ】
2016209565.tif 000006
【図３Ａ】
2016209565.tif 000007
【図３Ｂ】
2016209565.tif 000008
【図３Ｃ】
2016209565.tif 000009
【図４】
2016209565.tif 000010
【外国語明細書】
2016209565000001.pdf